(57)【要約】      （修正有）【課題】小型化できるとともに、吊り下げなどして使用する場合にも安定して保持することができ、二酸化塩素ガスの放出にも問題が生じない二酸化塩素発生装置の提供。【解決手段】二酸化塩素を発生させる薬剤が収容され、発生した二酸化塩素が透過可能な収容体であって、上記収容体の上端部には係合部が形成されていることを特徴とする二酸化塩素発生装置。【選択図】図１
2017031002.tif 000002
【特許請求の範囲】
【請求項１】
二酸化塩素を発生させる薬剤が収容され、発生した二酸化塩素が透過可能な収容体であって、
上記収容体の上端部には係合部が形成されている、
ことを特徴とする二酸化塩素発生装置。
【請求項２】
上記係合部に係合可能な紐をさらに有する、
請求項１記載の二酸化塩素発生装置。
【請求項３】
上記収容体を保持するホルダーをさらに有する、
請求項１記載の二酸化塩素発生装置。
【請求項４】
上記係合部に係合可能な留め具をさらに有する、
請求項１記載の二酸化塩素発生装置。
【発明の詳細な説明】
【技術分野】
【０００１】
本発明は、二酸化塩素を消臭剤・殺菌剤等として使用するための装置に好適なものである。
【背景技術】
【０００２】
従来から、二酸化塩素が消臭剤・殺菌剤として使用されている。従来の二酸化塩素製造装置は、机や床の上に載置するタイプが多かった。また、単に小型化して持ち運び（携帯）できるようにしても、装置内部からの液ダレの懸念が生じるなどの問題が発生していた。
【０００３】
このような一例として、例えば、可撓性の筒状の容器本体が設けられ、容器本体は、通気性・非透水体で構成されたガス放出口を具備するとともに、ガス放出口以外の部分は密閉されて非透水構造をなし、容器本体の内部には、水に溶解して酸性を示す酸性物質Ａを含有する徐放剤が収納されるとともに、亜塩素酸塩水溶液Ｂを密封した易破壊性の封入体が収納され、容器本体を円弧状に曲げることにより封入体が破壊されて亜塩素酸塩水溶液が酸性物質を含有する徐放剤と接触し、これにより発生する二酸化塩素ガスがガス放出口を介して容器本体の外部に放出されていくように構成した二酸化塩素発生装置（例えば、先行文献１）がある。
【０００４】
【特許文献１】特開２０１１−２３０９５６号
【発明の開示】
【発明が解決しようとする課題】
【０００５】
しかし、上述の従来の装置は、これを所定の場所に吊り下げるなどしておいておこうとすると、テープなどで固定すると発生した二酸化塩素によりテープなどの粘着物質が分解されて、簡単に脱落してしまうなどの問題があった。
【０００６】
本発明は、上記の実情に鑑みてなされたものであり、装置を小型化するとともに、吊り下げなどして使用する場合にも安定して保持することができ、二酸化塩素ガスの放出にも問題が生じない二酸化塩素発生装置を提供することを目的とする。
【０００７】
本発明の二酸化塩素発生装置は、二酸化塩素を発生させる薬剤が収容され、発生した二酸化塩素が透過可能な収容体であって、上記収容体の上端部には係合部が形成されていることを特徴とする。
【０００８】
上記係合部に係合可能な紐をさらに有してもよい。
【０００９】
上記収容体を保持するホルダーをさらに有してもよい。
【００１０】
上記係合部に係合可能な留め具をさらに有してもよい。
【発明の効果】
【００１１】
本発明によれば、装置を小型化するとともに、吊り下げなどして使用する場合にも安定して保持することができ、二酸化塩素ガスの放出にも問題が生じない二酸化塩素発生装置を提供できる。
【図面の簡単な説明】
【００１２】
【図１】本実施形態にかかるスティックの正面図。
【図２】別の実施形態にかかるスティックと紐の正面図。
【図３】さらに別の実施形態にかかるホルダーの上面図。
【図４】別の実施形態にかかるホルダーの利用状態を示す正面図。
【図５】さらに別の実施形態にかかるスティックと留め具の正面図。
【発明を実施するための最良の形態】
【００１３】
以下、本発明を発光体に適用した例を参照して説明する。
＜本体の構成＞
図１に本実施形態にかかる二酸化塩素発生装置の構造の一例を示す。
図１において、本実施形態に係る二酸化塩素発生装置は、収容体としての中空棒状をしたスティック１と、このスティック１の中空部に配置されたガラス製のアンプル２を有している。
【００１４】
スティック１は、縦長棒状に形成され、その縦方向に伸びた中空部が形成されている。
このスティック１は、樹脂により構成されることで可撓性を有しており、また、スティック１内で発生した二酸化塩素を透過して大気中に放出することができる樹脂が用いられている。この樹脂としては、例えばポリエチレン（ＰＥ）或いはポリプロピレン（ＰＰ）が好適である。
スティック１の中空部は、アンプル２を収容した際に、中空部内面とアンプル２との間に隙間ができる程度の大きさとなっている。この隙間の部分に第２の溶液が充填できるような構成となっている。
また、スティック１の頂上部には、スティック１を係合させて保持するための係合部（フック）１１が形成されている。本例では、係合部１１は、スティック１と一体に鍵形に形成されている。この係合部１１により、スティック１を壁面等に設けられた係合片等に引っ掛けておくことができる。
【００１５】
アンプル２は、二酸化塩素を発生させるための薬剤４を収容するためのものである。アンプル２は、中空の縦長棒状に形成されており、スティック１の中空部内径より小さく構成されている。このアンプル２の中には、薬剤４として亜塩素酸ナトリウム（ＮａＣｌＯ2）溶液が収容される。
また、アンプル２は、薄板状のガラスなどの硬質な材料で構成されており、曲げ応力により破損して、収容されている亜塩素酸ナトリウム溶液がスティック内に放出される構造となっている。
【００１６】
またスティック１の中空部と、アンプル２との間には、隙間が形成されており、この隙間に二酸化塩素を発生させるためのもう一つの薬剤として、酸性溶液３が収容されている。
この酸性溶液３としては、クエン酸、酒石酸、リンゴ酸、アコニット酸、アジピン酸、マレイン酸、フマル酸、コハク酸、無水コハク酸、酢酸等の有機酸の水溶液、塩酸、アミド硫酸などの無機酸の水溶液、また、亜塩素酸ナトリウムとの反応により酸に変化するエタノール溶液などがある。
この酸性溶液は、耐酸性であり、かつ、二酸化塩素により退色可能な着色料により着色がされており、この着色料としては、例えば食品添加物合成着色料などを用いることができる。好適な例として、図２〜図６に示すように、キリヤ化学株式会社、赤色２号（図２）、赤色１０２号（図３）、赤色１０６号（図４）、青色１号（図５）、青色２号（図６）などがあげられる。
【００１７】
このような二酸化塩素発生装置は、未使用状態では、アンプル２の中に亜塩素酸ナトリウム溶液が入っているとともに、アンプル２とスティック１の中空部との間には、赤や青などに着色された酸性溶液（クエン酸溶液）が入れられている。この状態では、スティック１はポリエチレンなど半透明な樹脂で創られているため、外から見た状態では、色素で着色された酸性溶液の色（赤色、青色など）が見えるようになっている。なお、この状態では、アンプル２内の亜塩素酸ナトリウム溶液は、透明であり、またアンプル２の周りに着色された酸性溶液が満たされているため、外からは、この酸性溶液の色（色素により着色された色）しか見えないようになっている。この状態では、亜塩素酸ナトリウム溶液と酸性溶液とは分離されているので二酸化塩素は発生しない状態（未使用状態）が保たれる。
【００１８】
この状態から二酸化塩素を発生させるためには、スティック１を利用者が手を使って少し折り曲げ、ガラスでできたアンプル２を破損させる。これにより、アンプル２はガラスでできているため、折り曲げの応力によって破損し、アンプル２内に充填されていた亜塩素酸ナトリウム溶液がスティック１内に放出される。一方、スティック１自体はポリオエチレンなど可撓性を有する樹脂でできているため柔軟に折り曲がり、折れることはない。
【００１９】
これにより、アンプル２内の亜塩素酸ナトリウムと、スティック１とアンプル２との隙間にあるクエン酸が反応して、二酸化塩素が発生する。
二酸化塩素は、常温では気体であるためスティック１内が二酸化塩素で満たされ、所定の濃度以上になると、スティック１の外壁であるポリエチレンを透過して大気中に放出され、二酸化塩素による殺菌・消臭効果を得ることができる。
【００２０】
また、酸性溶液中の色素は、二酸化塩素又は亜塩素酸ナトリウム溶液により分解され、時間が経つにつれて色素による着色は抜けていく。
これにより、発生した二酸化塩素自体は黄色ないしは褐色を呈するので、スティック１内は色素により着色された色が徐々に落ち二酸化塩素自体の黄色ないしは褐色へと変化し、最後にはスティック１内の二酸化塩素がなくなると透明に変化する。
これにより、スティック１の色が変化し、透明となったところで使用済みであることを判定することができる。
【００２１】
別の例として、軟質のフィルムに溶液を充填させて行うようにしてもよい。
この場合、二酸化塩素を発生させるには、図７に示したものでは、ガス透過性外部袋１１内には色素により着色された酸性溶液、気体液体を透過しない内袋１２内には亜塩素酸ナトリウム溶液が封入されている。
この状態で、ガス透過性外袋１１に掌や指などにより圧力を加え、内部に収納した内袋１２を破断して、その内袋１２の亜塩素酸ナトリウム溶液とガス透過性外袋１１の酸性溶液とを反応させることにより、二酸化塩素を発生させることができる。
なお、この袋の構造については、従来技術として特開２００６−３３５４４８、特開２００６−３３５４４７等の構造にも適用することができる。
【００２２】
またさらに別の構造として、特開２０１１−２３０９５６のスティックタイプの構造として、この酸性物質（液体又は固体）に上述の着色料により着色をおこなってもよい。
【００２３】
次に、上記スティック１を靴の消臭・除菌剤として使用した各例について説明する。
＜紐で吊り下げるタイプ＞
図２は、上記スティック１の係合部１１にスティック１を吊り下げるための紐３０を通して吊り下げて使用した例である。紐３０は天然繊維、化学繊維であってもよい。
この紐３０は、繊維等で構成され、その両端部にスティック１を結びつけられている。
この状態でブーツの中にそれぞれのスティック１を入れて紐でつるすことで、スティック１をブーツの中で保持できる。
これによりスティック１をブーツなどの中でつるした状態で保持できる。
なお、紐３０に変えてタッセルを取り付けて保持するようにしても良い。
【００２４】
＜ホルダータイプ＞
図３は、ホルダー４０を設けた例である。
ホルダー４０は、紙やプラスティックなどでできており、その中央部に横に並んで穴４１が形成されている。この穴４１は内側に全面に切込みが形成されており、その内径はスティック１の外径よりもわずかに小さく刑されている。これにより穴４１にスティック１が挿入されたときに、この切り込みにより内周部が折り曲がることで、スティック１を保持することができるようになっている。
図４に示すように、このホルダー４０の穴４１にスティック１をそれぞれ差込んだ状態で、ホルダー４０をブーツなどの上に配置する。これでスティック１を吊り下げた状態で保持することができる。
【００２５】
＜留め具タイプ＞
図５は係合部１１に留め具５０を取り付けてつるした例である。
この留め具５０は、樹脂・繊維等のケースの中に軟性の薄い金属板が入っており、この金属板が折り曲げられることで、その端部に係合部（フック）が形成できるようになっている。この留め具５は、先端部（下端部）を折り曲げることで係合部（フック）が形成され、スティック１の係合部１１を引っ掛けるようになっている。なお、この留め具５０の先端部（下端部）にあらかじめ穴を設けたり、又は突部を設けたりしておき、これら穴又は突部に係合部１１を引っ掛けても良い。
また、留め具５の他端部（上端部）は、折り曲げられることで、ブーツなどの上端部に引っ掛けられるようになっている。
【００２６】
このように、いずれの例によっても、接着剤を用いてスティック１を取り付けた場合、スティック１から発生した二酸化塩素が接着剤を分解してしまい、スティック１が外れてしまうという問題があった。しかし、上述の各形態によれば、係合部１１や、紐３０、ホルダー４０、留め具５０などの物理的な手段で吊り下げ保持できることから、スティック１から二酸化塩素が発生しても、そのまま吊り下げ状態を保持することができる。
【符号の説明】
【００２７】
１    スティック    
２    アンプル
１１  係合部
３０    紐
４０    ホルダー
５０    留め具
【図１】
2017031002.tif 000003
【図２】
2017031002.tif 000004
【図３】
2017031002.tif 000005
【図４】
2017031002.tif 000006
【図５】
2017031002.tif 000007